(57)【要約】【課題】多様化するユーザの検索条件に対応し、録画番組の中からユーザが希望する番組を検索する際の検索性を向上させること。【解決手段】チューナ１０３で受信した放送番組を、番組記録部１０４はＨＤＤ１０７に記録する。リモコン１１１からのユーザ入力により、ＣＰＵ（ふせん情報作成部）１０５はふせん情報を作成し、フラッシュメモリ１０６に記憶する。フラッシュメモリ１０６には、記録した番組１つに対し、作成したふせん情報を複数個関連付けて記憶する。ユーザは、複数のふせん情報を基に所望の番組を検索する。【選択図】図１
2007324835.tif 000002
【特許請求の範囲】
【請求項１】
放送された番組をユーザの作成したふせん情報に関連付けて記録し、該ふせん情報を基に所望の番組を検索する放送番組記録装置において、
放送された番組を受信する受信部と、
該受信部で受信した番組を記録媒体に記録する番組記録部と、
ユーザの入力によりふせん情報を作成するふせん情報作成部と、
該ふせん情報作成部により作成したふせん情報を記憶するふせん情報記憶部とを備え、
該ふせん情報記憶部は、上記番組記録部で記録した番組１つに対し、上記ふせん情報作成部の作成したふせん情報を複数個関連付けて記憶することを特徴とする放送番組記録装置。
【請求項２】
請求項１記載の放送番組記録装置において、
前記番組記録部で記録した番組をそれに関連する前記ふせん情報とともに表示部に一覧表示させる番組一覧生成部を備え、
該番組一覧生成部は、番組検索時にユーザの指定した複数のふせん情報に関連する番組を強調表示するとともに、その番組を抽出して表示させることを特徴とする放送番組記録装置。
【請求項３】
請求項２記載の放送番組記録装置において、
前記番組一覧生成部は、前記表示部に前記ふせん情報を表示する際、ユーザの指定したふせん情報についてはふせん情報の内容も含めて拡大表示し、ユーザの指定していないふせん情報についてはその内容を示す符号のみを表示することを特徴とする放送番組記録装置。
【請求項４】
請求項３記載の放送番組記録装置において、
前記番組一覧生成部は、前記表示部に前記ユーザの指定したふせん情報の内容を表示する際、該ふせん情報の領域の背景色を半透明または透明として表示することを特徴とする放送番組記録装置。
【請求項５】
放送された番組を記録媒体に記録し、
ユーザの入力によりふせん情報を複数個作成し、
上記記録した番組１つに対し、上記作成したふせん情報を複数個関連付けて記憶し、
該記憶した複数個のふせん情報を基に所望の番組を検索することを特徴とする番組検索方法。
【請求項６】
請求項５記載の番組検索方法において、
番組検索の際、前記記録した番組をそれに関連する前記ふせん情報とともに表示部に一覧表示させ、
ユーザの指定した複数のふせん情報に関連する番組を強調表示するとともに、その番組を抽出して表示させることを特徴とする番組検索方法。
【請求項７】
請求項６記載の番組検索方法において、
前記表示部に前記ふせん情報を表示する際、ユーザの指定したふせん情報についてはふせん情報の内容も含めて拡大表示し、ユーザの指定していないふせん情報についてはその内容を示す符号のみを表示することを特徴とする番組検索方法。
【請求項８】
請求項７記載の番組検索方法において、
前記表示部に前記ユーザの指定したふせん情報の内容を表示する際、該ふせん情報の領域の背景色を半透明または透明として表示することを特徴とする番組検索方法。
【発明の詳細な説明】
【技術分野】
【０００１】
本発明は、放送された番組を記録し、記録した番組にユーザ作成情報を付加して番組の検索を行うことのできる放送番組記録装置及び番組検索方法に関する。
【背景技術】
【０００２】
放送された番組を記録（録画）する放送番組記録装置の一例としてハードディスクや光ディスクなどを記録媒体とするビデオレコーダがある。これらのビデオレコーダには、記録した番組に関連する情報を記憶して表示し、ユーザはこれを用いて所望の番組を検索できる機能がある。
【０００３】
番組に関連する情報としては、（１）ＥＰＧ（Ｅｌｅｃｔｒｏｎｉｃ  Ｐｒｏｇｒａｍｍｉｎｇ  Ｇｕｉｄｅ：電子番組ガイド）のように、放送局側で用意されている情報（以下、放送局からの番組情報）、（２）番組記録時にレコーダが自動的に付加する情報（以下、レコーダによる管理情報）、（３）ユーザが作成して付加する情報（以下、ユーザが作成する付加情報）、等がある。これらの各情報は、ユーザが録画したい番組を検索したり、録画した番組の中からユーザが見たい番組を検索し選択するために利用される。
【０００４】
このような番組に関連する情報を利用して番組の検索を容易にするため、従来、次のような提案がなされている。例えば、特許文献１に記載の技術では、放送局からの番組情報として各番組毎に標準で与えられているジャンルの他に、ユーザが作成するジャンルを新規に登録し記録番組に関連付けすることにより、視聴者の好みに合ったジャンルによる検索を可能としている。
【０００５】
また、特許文献２に記載の技術では、記録した番組の付加情報を付箋に登録し、これを番組のサムネイル画像に付加して表示させ、ユーザは付箋を利用して目的のサムネイル画像を簡単に検索することができると記載されている。
【０００６】
【特許文献１】特開２００１−２６８４６７号公報
【特許文献２】特開２０００−３３９３２７号公報
【発明の開示】
【発明が解決しようとする課題】
【０００７】
録画した番組を検索する際、放送局から送られた番組情報だけでなく、ユーザの多様化する条件に合わせて所望の番組を検索できることが望まれる。例えば、記録媒体の残容量がなくなり、録画済の番組を消去したい場合がある。そのような場合、１回視聴した番組であって消去してもよいと思った番組Ａに、消去候補番組であることを示す付加情報を与えておけば、その番組を優先的に消去することができて便利である。また逆に、１回視聴した番組であって再度視聴したいと思った番組Ｂに、おすすめ番組であることを示す付加情報を与えておくと、再度視聴するときに検索が早まり便利である。このように、ユーザの多様化する条件に合わせて番組を的確に検索するためには、１つの録画番組に対しユーザの作成した付加情報を複数個付加して、これらを組合わせて検索する必要が生じる。例えば、上記番組Ａに対しては、「１回見た」という情報と「削除候補」という情報を付加し、上記番組Ｂに対しては、「１回見た」という情報と「おすすめ」という情報を付加するのがよい。
【０００８】
しかしながら、上記特許文献１、２記載の従来技術では、ユーザ作成情報を複数個付加することには配慮されていない。そのため、１回見た番組の中から消去候補の番組やおすすめ番組を見つけるときは、再度番組を再生して確認しなければならず、所望の条件の番組を探したい場合の検索性が悪いという課題があった。
【０００９】
本発明の目的は、多様化するユーザの検索条件に対応し、録画番組の中からユーザが希望する番組を検索する際の検索性を向上させる放送番組記録装置及び番組検索方法を提供することにある。
【課題を解決するための手段】
【００１０】
本発明の放送番組記録装置は、放送された番組をユーザの作成したふせん情報に関連付けて記録し、該ふせん情報を基に所望の番組を検索するものであって、放送された番組を受信する受信部と、受信した番組を記録媒体に記録する番組記録部と、ユーザの入力によりふせん情報を作成するふせん情報作成部と、作成したふせん情報を記憶するふせん情報記憶部とを備える。ふせん情報記憶部は、番組記録部で記録した番組１つに対し、ふせん情報作成部の作成したふせん情報を複数個関連付けて記憶する構成とする。
【００１１】
また本発明の番組検索方法は、放送された番組を記録媒体に記録し、ユーザの入力によりふせん情報を複数個作成し、記録した番組１つに対し作成したふせん情報を複数個関連付けて記憶し、記憶した複数個のふせん情報を基に所望の番組を検索する。
【発明の効果】
【００１２】
本発明によれば、ユーザは録画番組の中から希望する番組を容易に検索することができる。
【発明を実施するための最良の形態】
【００１３】
以下本発明の実施の形態につき、図を用いて説明する。
【実施例１】
【００１４】
図１は、本発明の放送番組記録装置の一実施例を示すブロック図である。この放送番組記録装置１０１は、外部のアンテナ１０２を介して受信した放送電波の中から所望の番組を選局する受信部（チューナ）１０３、チューナ１０３で選局した番組を記録・再生するための番組記録再生部１０４、記録された番組を格納するハードディスクドライブ（ＨＤＤ）１０７、番組情報を格納するフラッシュメモリ１０６、リモコン１１１等からのユーザ入力を受けるリモコン入力部１０８、映像信号に文字情報を重畳する映像・文字合成部１０９、外部のディスプレイ１１２に映像信号を出力する映像出力部１１０、装置の全体の動作を制御する制御部（ＣＰＵ）１０５から構成される。なお、ＨＤＤ１０７とフラッシュメモリ１０６には、これに限らず他の記録媒体やメモリを用いることができる。
【００１５】
記録時は、放送電波はチューナ１０３で所望の番組の映像信号に変換され、番組記録再生部１０４で記録用のデータに変換されて、ＨＤＤ１０７に番組データとして記録される。また、チューナ１０３で読み出された番組情報（ＥＰＧ）と、ＣＰＵ１０５により作成される録画モード等のレコーダ内部管理情報は、フラッシュメモリ１０６に記録される。一方、ＣＰＵ１０５は、記録する映像信号から代表画像であるサムネイル画を生成し、ＨＤＤ１０７に記録する。再生時は、ＨＤＤ１０７に記録されている番組データを番組記録再生部１０４を経由して再生し、映像・文字合成部１０９で文字情報等を重畳し、映像出力部１１０を介して外部のディスプレイ（表示部）１１２に再生映像を表示する。
【００１６】
次に、本実施例の放送番組記録装置の特徴である録画番組の番組一覧表示、及びユーザ作成情報である「ふせん情報」の登録・表示、及び検索の動作の概要を説明する。ユーザがリモコン１１１にある「番組一覧」キーを押すと、リモコン入力部１０８を介してＣＰＵ１０５が検知し、ＨＤＤ１０７に記録されているサムネイル画およびフラッシュメモリ１０６に格納されている番組情報を、映像・文字合成部１０９に送る。映像・文字合成部１０９は、サムネイル画の一覧表示または番組情報のリスト一覧の画面を生成し、映像出力部１１０を介して外部のディスプレイ１１２に録画番組を一覧表示する。
【００１７】
ユーザは検索に用いるために、ユーザ独自の情報である「ふせん情報」を作成及び登録することができる。リモコン１１１からの操作により、「ふせん編集」用の画面を映像・文字合成部１０９で生成しディスプレイ１１２に表示し、画面に従って、ふせんの選択、文字入力をし、入力したふせん番号、文字等をフラッシュメモリ（ふせん情報記憶部）１０６に格納する。上記を繰り返すことにより、ユーザ好みのふせん情報を複数作成及び登録することができる。
【００１８】
ユーザが、上記により登録したふせん情報を特定の録画番組に付加する（ふせん貼り付け）場合、リモコン１１１からの操作により、「ふせん貼り付け」用の番組一覧画面を映像・文字合成部１０９で生成しディスプレイ１１２に表示する。そして、ふせん情報を付加したい番組を選択し、登録したふせん情報の中から付加したいふせん情報の番号（ふせん番号）を選択すると、選択された番組に付加されたふせん情報が、フラッシュメモリ（ふせん情報記憶部）１０６に格納される。映像・文字合成部１０９ではふせん番号を番組の一覧表示に重畳して、映像出力部１１０を介して外部のディスプレイ１１２に表示する。上記を繰り返すことにより、１つの番組に複数のふせん情報を付加及び表示することができる。
【００１９】
さらにユーザは、録画番組に付加したふせん情報により所望の番組を検索することができる。リモコン１１１からの操作により、「番組検索」用の番組一覧画面をディスプレイ１１２に表示する。そして、検索条件としてユーザ所望のふせん情報を指定すると、指定されたふせん情報が関連付けられている録画番組を強調表示し、また抽出することができる。その際、検索操作を繰り返すことにより、複数の検索条件（ふせん情報）を基に検索の絞込みを行うことができる。これにより、多様化するユーザの検索条件に対応した検索が可能となる。
【００２０】
図２は、本実施例におけるフラッシュメモリに格納される番組情報の一例である。ここでは、（ａ）番組情報と、（ｂ）ふせん情報との関連付け及び格納について説明する。
【００２１】
（ａ）の番組情報では、番組１、２、３に対応する番組情報２０１、２０２、２０３に、放送局からの番組情報と、レコーダ内部管理情報が格納されている。放送局からの番組情報の例としては、番組名（番組タイトル）と番組詳細情報（番組説明）がある。レコーダ内部管理情報の例としては、録画開始日、録画開始時刻、録画時間、録画ｃｈ、録画モード、サムネイルへのリンク、ふせんへのリンクがある。ふせんへのリンクは、ユーザがふせん情報を付加することで格納される情報である。なお、番組情報の内容はこれに限定されるものではない。
【００２２】
（ｂ）のふせん情報では、ユーザが作成する付加情報であるふせん情報２０４〜２１３を格納する。そして各ふせん情報２０４〜２１３は、それぞれ「ふせん番号」Ｆ１〜Ｆ１０とふせん表示時に表示する文字列である「ふせん内容」で構成される。ここではふせん番号は１０個まで登録可能としているが、ふせんの数は必要に応じ適宜設定すればよい。
【００２３】
そして、上記各番組情報と各ふせん情報との関連付け（リンク）を矢印２１４〜２１６で示している。矢印２１４は番組１とふせんＦ１のリンク、矢印２１５は番組２とふせんＦ１のリンク、矢印２１６は番組１とふせんＦ２のリンクを表す。例えば、番組１の番組情報２０１の項目「ふせんへのリンク」にはＦ１とＦ２があり、これはふせん情報Ｆ１「ダビング済」２０４及びふせん情報Ｆ２「おすすめ」２０５にリンクしていることを示している。また、番組２の番組情報２０２はふせん情報Ｆ１「ダビング済」２０４にリンクしており、番組３の番組情報２０３はリンクしたふせん情報がないことを示している。
【００２４】
このように本実施例では、番組にユーザの付加情報を追加する際、ふせん情報を関連付ける（リンクを追加する）方式とした。これにより、ユーザの作成したふせん情報を複数の番組に対して共通に用いることができ、作業が効率的である。すなわち、ユーザは、同内容のふせん情報を繰り返し入力する必要がなく、あるいはふせん情報を変更することでこれにリンクするすべての情報を一斉に書き換えることができ、操作が容易となる。また、ふせん情報を格納するフラッシュメモリ１０６の容量も節約することができる。
【００２５】
以下、番組にふせん情報を関連付ける（リンクを追加する）ことを、ふせんを貼り付けると呼び、関連付けをやめる（リンクを削除する）ことを、ふせんを剥がすと呼ぶこととする。例えば、矢印２１４は、番組１にふせんＦ１が貼り付いていると表現する。
【００２６】
次に、本実施例の放送番組記録装置の各動作について詳細に説明する。
図３は、本実施例の放送番組記録装置の全体の処理動作を示すフローチャートである。ここでは、＜番組録画＞＜ふせん情報の作成＞＜ふせんの貼り付け＞＜番組検索＞の各動作の概要を説明する。
【００２７】
＜番組録画＞
ステップ３０１で本装置を電源オンして処理を開始する。ステップ３０２で録画操作した場合は、ステップ３０３でアンテナ１０２から入力された放送電波をチューナ１０３により番組の映像信号に変換し、番組記録再生部１０４で録画用のデータに変換しＨＤＤ１０７に記録する。ステップ３０４で、アンテナ１０２から入力された放送電波からチューナ１０３により読み出された放送局からの番組情報と、録画している番組の録画ｃｈ、録画モード等のレコーダ内部管理情報をあわせて、録画番組情報としてフラッシュメモリ１０６に格納する。その後、ステップ３０２に戻り録画継続中は繰り返す。格納した番組情報は、例えば図２の（ａ）のようになる。
【００２８】
＜ふせん情報の作成＞
次に、ステップ３０５でふせん情報を作成または編集するための操作をしたと判断した場合、ステップ３０６でふせん編集画面を呼び出す。ふせん編集画面を呼び出す動作の場合、ＣＰＵ１０５はレコーダの内部状態をふせん編集状態にするとともに、映像・文字合成部１０９を介して、映像出力部１１０からディスプレイ１１２にふせん編集画面を出力する。ステップ３０７で、ユーザがふせん情報の内容を変更する動作（編集）の場合、ＣＰＵ１０５はリモコンキー情報を入力情報に変換し、入力情報を基にふせん内容を変更し、ステップ３０８でフラッシュメモリ１０６に変更後のふせん内容を格納するとともに、映像・文字合成部１０９を介して、映像出力部１１０からディスプレイ１１２に変更後のふせん内容を表示する。以降、ステップ３０５に戻りふせん情報の変更を繰り返す。格納したふせん情報は、例えば図２の（ｂ）のようになる。
【００２９】
＜ふせんの貼り付け＞
次に、ステップ３０９でふせん情報を番組情報に貼り付ける、または剥がす操作をした場合、ステップ３１０でふせん貼り付け用の表示画面を選択する。ここで、本実施例では、２通りのふせん貼り付け画面をサポートしている。先に番組を選択し、その番組に貼り付けるふせん情報をふせん情報の一覧から選択する画面（以下、ふせん貼り付け画面（一番組））と、先にふせん情報を選択し、番組一覧からそのふせん情報を貼り付ける番組を選択する画面（ふせん貼り付け画面（番組一覧））がある。
【００３０】
ステップ３１０でふせん貼り付け画面（一番組）を選択したと判断した場合、ステップ３１１でふせん貼り付け画面（一番組）を表示する。ふせん貼り付け画面（一番組）を呼び出す動作の場合、ＣＰＵ１０５はレコーダの内部状態をふせん貼り付け画面（一番組）状態にするとともに、映像・文字合成部１０９を介して、映像出力部１１０からディスプレイ１１２にふせん貼り付け画面（一番組）を出力する。ステップ３１２でユーザがふせん貼り付け／剥がしの操作を行うと、ステップ３１３でＣＰＵ１０５はリモコンキー情報に応じて番組情報内のふせんへのリンクへ指定したふせん情報のリンク先を追加あるいは削除し、フラッシュメモリ１０６に変更後のふせんリンク情報を格納するとともに、変更後のリンク状態を元に、映像・文字合成部１０９を介して、映像出力部１１０からディスプレイ１１２に変更後のふせん貼り付け状態を表示する。以降、ステップ３０９に戻りふせん情報の追加または削除を繰り返す。
【００３１】
ステップ３１０でふせん貼り付け画面（番組一覧）を選択したと判断した場合、ステップ３１４でふせん貼り付け画面（番組一覧）を表示する。ふせん貼り付け画面（番組一覧）を呼び出す動作の場合、ＣＰＵ１０５はレコーダの内部状態をふせん貼り付け画面（番組一覧）状態にするとともに、映像・文字合成部１０９を介して、映像出力部１１０からディスプレイ１１２にふせん貼り付け画面（番組一覧）を出力する。ステップ３１５でユーザがふせん貼り付け／剥がしの操作を行うと、ステップ３１６でＣＰＵ１０５はリモコンキー情報に応じて番組情報内のふせんへのリンクへ指定したふせん情報のリンク先を追加あるいは削除し、フラッシュメモリ１０６に変更後のふせんリンク情報を格納するとともに、変更後のリンク状態を元に、映像・文字合成部１０９を介して、映像出力部１１０からディスプレイ１１２に変更後のふせん貼り付け状態を表示する。以降、ステップ３０９に戻りふせん情報の追加または削除を繰り返す。
【００３２】
＜番組検索＞
ステップ３１７で番組検索を選択したと判断した場合、ステップ３１８でフラッシュメモリ１０６に格納されている番組情報を読み出し、ディスプレイ１１２に検索用の番組一覧画面を表示する。ステップ３１９で、ユーザは検索条件として所望のふせん情報に対応する番号を選択する。ステップ３２０で、選択したふせん情報がリンクされている番組情報を強調して表示し、あるいはリンクされている番組のみを抽出して表示する。ユーザはさらにステップ３１９に戻り検索を繰り返すことで、複数のふせん情報を基に番組検索の絞込みを行うことができる。
【００３３】
図４は、本実施例における画面切替動作を示す画面遷移図である。ここでは、ふせん情報に関するふせん編集画面、ふせん貼り付け画面、番組一覧表示画面の切替動作について説明する。
【００３４】
受信した番組が表示されている通常画面４０１において、リモコン１１１の「べんり」キーを押すとべんりメニュー４０２が表示される。べんりメニュー４０２は、ふせんの作成・編集とふせんの貼り付けを行う場合に用いる。べんりメニュー４０２で表示される項目をリモコン１１１のカーソルキーで選択する。例えば「ふせん編集」の項目を選択すると、ふせん編集画面４０３が表示される。また、「ふせん貼り付け画面（番組一覧）」の項目を選択すると、ふせん貼り付け画面（番組一覧、サムネイル表示）４０４あるいはふせん貼り付け画面（番組一覧、リスト表示）４０５が表示される。その際、画面４０４と画面４０５は、リモコン１１１の「緑」キーでトグル切り替えすることができる。さらに、「ふせん貼り付け（一番組）」を選択すると、ふせん貼り付け画面（一番組）４０８が表示される。
【００３５】
一方、通常画面４０１においてリモコン１１１の「番組一覧」キーを押すと、番組一覧表示画面（サムネイル表示）４０６あるいは番組一覧表示画面（リスト表示）４０７が表示される。画面４０６と画面４０７は、リモコン１１１の「緑」キーでトグル切り替えすることができる。これらの番組一覧表示画面は、ユーザが録画した番組から所望の番組を検索するために用いる。なお、各画面での作業が終了したら、例えばリモコン１１１の「戻る」キーを押すことにより、初期画面である通常画面４０１に戻ることができる。
【００３６】
次に、本実施例においてふせん情報の編集時の動作を説明する。図５はふせん編集画面の表示例、図６はふせん編集時の処理の流れを示すフローチャートである。
【００３７】
図５において、ふせん５０１〜５１０には、それぞれふせん番号Ｆ１〜Ｆ１０に対応する内容の文字が入力できるようになっている。ソフトキーボード５１１は、リモコン１１１の数字キーやカーソルキー等を使用して文字等を入力する時に利用する。
【００３８】
図６を用いて、ふせん編集時の処理の流れを説明する。
ステップ６０２で「ふせん編集」のメニュー項目が選択された場合、ステップ６０３でふせん編集画面を表示する。なお、ふせん編集画面表示中に、ステップ６０４で「戻る」キーが押された場合、ステップ６０９でふせん編集画面を終了し、ステップ６１０で通常画面に戻る。
【００３９】
ステップ６０４で「戻る」キーではないキーが押され、ステップ６０５でカーソルキーが押されたと判断した場合、ステップ６０６でふせん情報の選択項目を変更する。例えば、ふせん番号Ｆ１「ダビング済」５０１を選択していた場合に下カーソルキーが押されると、選択をふせん番号Ｆ２「おすすめ」５０２に変更し、そこからさらに右カーソルキーが押されると、選択をふせん番号Ｆ７「ふせん７」５０７に変更する。ここで、「戻る」キーとカーソルキーの入力は「決定」キーが押されるまで受け付ける。
【００４０】
ステップ６０７で「決定」キーが押されたと判断した場合、ステップ６０８に進み、その時に選択されていたふせん情報の編集を開始する。図５では、ふせん番号Ｆ５「ふせん５」５０５の編集を行う画面である。ステップ６１１でソフトキーボード５１１を有効にし、ステップ６１２で編集文字列の初期値として、現在フラッシュメモリ１０６に格納されているふせん内容をソフトキーボードの編集エリア５１２にコピーし、編集ができるようにする。ステップ６１３で編集処理終了のための「決定」キーが押されるまで、ステップ６１４でソフトキーボード５１１による文字入力等の編集処理が行われる。なお、この編集処理の詳細な説明は省略する。
【００４１】
ステップ６１３で「決定」キーが押されたと判断した場合、ソフトキーボード５１１による編集処理を終了する。ステップ６１５で、ソフトキーボードの編集エリア５１２の文字列を、選択されていたふせんのふせん内容にコピーしたのち、ステップ６１６でソフトキーボード５１１を無効にする。その後、ステップ６１７で編集したふせんのふせん内容をフラッシュメモリ１０６に格納して、ステップ６０４に戻りふせん編集画面の最初の状態に戻り編集処理を繰り返す。このようにして、ふせん５０１〜５１０には、ユーザの作成した所望の情報を登録することができる。
【００４２】
次に、本実施例において番組一覧表示にてふせんを貼り付ける時の動作を説明する。図７Ａ，図７Ｂはふせん貼り付け（番組一覧）画面の表示例、図８はふせん貼り付け（番組一覧）時の処理の流れを示すフローチャートである。なお、図７Ａはふせん貼り付け（番組一覧、サムネイル表示）画面の表示例、図７Ｂはふせん貼り付け（番組一覧、リスト表示）画面の表示例である。
【００４３】
図７Ａ，図７Ｂにおいて、符号７０１〜７０９，７２１〜７２５は各録画番組毎の番組情報、符号７１０〜７１９はふせん表示、符号７２０はガイド表示欄である。各録画番組毎の番組情報の画面は、「サムネイル画」（図７Ａの場合）と、放送局からの番組情報である「チャンネル」や「番組タイトル」と、レコーダ内部の管理情報である「日付、録画開始時刻、録画時間」で構成される。そして、これらの画面の上に、ふせん情報を貼り付けて表示する。例えば番組情報７０１にはふせん番号Ｆ１とＦ２が表示されており、このふせん番号によって、どのふせん情報が貼り付いているか（関連付けられているか）が分かる。ここでは、ふせん情報Ｆ１「ダビング済」とふせん情報Ｆ２「おすすめ」が貼り付けられている。
【００４４】
また図７Ａ，図７Ｂでは、ふせん情報Ｆ３「１回見た」を選択して番組情報７０６、７０７、７０８に対して貼り付けた状態を示す。ユーザは、まず貼り付けるふせん情報Ｆ３を選択し、次に、各録画番組のうち新たにふせん情報Ｆ３を貼り付けたい番組情報７０６、７０７、７０８を選択する。ガイド表示欄７２０には、選択したふせん情報Ｆ３の内容である「１回見た」が表示され、選択した番組情報７０６、７０７、７０８についてはふせん情報Ｆ３（７１６、７１７、７１８）が追加して表示される。
【００４５】
一方、録画番組の番組情報から、一旦貼り付けたふせん情報を剥がすこともできる。その場合には、図７Ａ，図７Ｂにて剥がしたいふせん情報を選択し、次に剥がしたい番組情報を選択することで、該当するふせん情報を剥がす（関連付けを解除する）ことができる。
【００４６】
このように本実施例によれば、１つの録画番組に対しユーザの作成した複数のふせん情報を貼り付けることができる。これにより、録画番組の中からユーザが希望する番組を検索する場合の利便性が向上する。番組検索の操作については、後で詳細に説明する。
【００４７】
図８を用いて、ふせん貼り付け（番組一覧）時の処理の流れを説明する。
ステップ８０２で、「ふせん貼り付け（番組一覧）」のメニュー項目が選択されていたと判断した場合、ステップ８０３でレコーダ内部で保持している番組一覧モードを参照する。番組一覧モードがサムネイル表示の場合、ステップ８０４でふせん貼り付け（番組一覧、サムネイル表示）画面を表示する。番組一覧モードがリスト表示の場合、ステップ８０５でふせん貼り付け（番組一覧、リスト表示）画面を表示する。もし、ふせん貼り付け（番組一覧）画面を表示中に、ステップ８０６で「戻る」キーが押された場合、ステップ８０７でふせん貼り付け（番組一覧）画面を終了し、ステップ８０８で通常画面に戻る。
【００４８】
ステップ８０９で、「Ｆ１」〜「Ｆ１０」キーのどれかが押された場合、ステップ８１０で押されたキーに対応してそれぞれＦ１〜Ｆ１０の番号のふせんを選択する。ステップ８１１でガイド表示欄７２０に、選択したふせんのふせん内容を表示する。ステップ８１２で、番組情報に貼り付いているふせん表示（７１０〜７１９）の内、選択したふせんのふせん番号を強調するとともにふせん内容を表示し、選択されなかったふせんは番号のみ表示するように表示変更する。
【００４９】
ステップ８１３でカーソルキーが押された場合、ステップ８１４で番組の選択を変更する。例えば図７Ａで、番組１の番組情報７０１を選択していた場合に下カーソルキーが押されると、選択を番組４の番組情報７０４に変更し、そこからさらに右カーソルキーが押されると、選択を番組５の番組情報７０５に変更する。また図７Ｂでは、カーソルキーは上下方向のみ有効で、上カーソルキーで選択を１つ上、下カーソルキーで選択を１つ下に変更する。
【００５０】
ステップ８１５で「決定」キーが押された場合、ステップ８１６で選択された番組に選択されたふせんへのリンクがあるかどうかを調べる。リンクがない場合はステップ８１７でリンクを追加し、リンクがある場合はステップ８１８でリンクを削除する。すなわち、ふせんを貼り付けるか、あるいはふせんを剥がすかを自動的に判断して実行する。ステップ８１９で、フラッシュメモリ１０６に変更後のふせんリンク情報を格納し、ステップ８２０で選択した番組のふせん表示を変更する。その後、ステップ８０６のふせん貼り付け（番組一覧）画面の最初の状態に戻り、貼り付け処理を繰り返す。この貼り付け処理を繰り返すことにより、１つの録画番組に複数のふせんを貼り付けることができるので、録画番組の中からユーザが希望する番組を探す場合の検索性を改善できる。
【００５１】
さらに、本実施例において一番組表示にてふせんを貼り付ける時の動作を説明する。図９はふせん貼り付け（一番組）画面の表示例、図１０はふせん貼り付け（一番組）時の処理の流れを示すフローチャートである。
【００５２】
図９において、符号９０１はサムネイル画、符号９０２は番組情報、符号９０３〜９１２はふせんであり、それぞれＦ１〜Ｆ１０のふせん番号に対応する内容が表示されている。符号９１３はガイド表示欄である。ここで、選択された番組に各ふせんのリンクがあるかどうかをユーザに知らせる必要がある。そのためにふせん表示の方法は、例えば、背景色を区別したり、表示を反転すればよい。図９では、選択された番組１に、Ｆ１とＦ２のふせんが貼り付けられていることを示している。
【００５３】
図１０を用いて、ふせん貼り付け（一番組）時の処理の流れを説明する。ステップ１００２で番組一覧表示画面を表示させる。もしステップ１００３で、番組一覧表示画面表示中に「戻る」キーが押されたと判断した場合、ステップ１００８で番組一覧表示画面を終了し、ステップ１００９で通常画面に戻る。ステップ１００４でカーソルキーが押されたと判断した場合、ステップ１００５で番組の選択を変更する。ステップ１００６で「ふせん貼り付け（一番組）」のメニュー項目が選択された場合、ステップ１００７で番組一覧表示画面で選択していた番組（ステップ１００５）に対応するふせん貼り付け（一番組）画面を表示する。もし、ステップ１０１０で「戻る」キーが押された場合、ふせん貼り付け（一番組）画面を終了し、番組一覧表示画面となりステップ１００３に戻る。
【００５４】
ステップ１０１１でカーソルキーが押されたと判断した場合、ステップ１０１２でふせんの選択を変更する。上カーソルキーで選択を１つ上、下カーソルキーで選択を１つ下に変更する。ステップ１０１３で「決定」キーが押された場合、ステップ１０１４で選択された番組から選択されたふせんへのリンクがあるかどうかを調べる。リンクがない場合はステップ１０１５でリンクを追加し、リンクがある場合はステップ１０１６でリンクを削除する。その後、ステップ１０１７でフラッシュメモリ１０６に変更後のふせんリンク情報を格納し、ステップ１０１８で選択した番組のふせん表示を変更する。その後、ステップ１０１０でふせん貼り付け（一番組）画面の状態に戻り、ふせん貼り付け処理を繰り返す。このようにして、一番組表示画面を用いて、１つの録画番組に複数のふせんを貼り付けることができる。
【００５５】
次に、本実施例において、ふせん情報を利用して番組検索を行う動作を説明する。図１１Ａ〜図１１Ｃは番組検索画面の表示例で、番組一覧表示（サムネイル表示）画面を用いて図１１Ａ，図１１Ｂ，図１１Ｃの順に番組の検索を行う場合を示す。図１２は番組検索時の処理の流れを示すフローチャートである。
【００５６】
図１１Ａ〜図１１Ｃにおいて、符号７０１〜７０９は各録画番組毎の番組情報、符号７１０〜７１９はふせん表示、符号１１０１はガイド表示欄である。
【００５７】
まず図１１Ａでは、始めにふせん番号Ｆ３が選択された時の表示を示している。ガイド表示欄１１０１にふせん情報Ｆ３の内容である「１回見た」が表示されるとともに、各録画番組の番組情報のうち、ふせん情報Ｆ３を含む番組情報７０６、７０７、７０８についてはそのふせん情報（７１６、７１７、７１８）が強調して表示される。すなわち、ふせん情報Ｆ３についてはその情報の内容である「１回見た」についても表示され、他のふせん情報よりも大きく表示されている。また他のふせん情報では、ふせん番号のみが表示されている。
【００５８】
次に図１１Ｂは、上記ふせん情報Ｆ３「１回見た」を指定して録画番組を検索（抽出）した状態の画面表示例である。リモコン１１１のＦ１２キーを押すと、ここでは、該当する３個の番組情報７０６、７０７、７０８が抽出されて表示され、他の番組情報は非表示となっている。
【００５９】
さらに図１１Ｃは、上記ふせん情報Ｆ３による検索結果の基で、続けて別のふせん情報としてＦ２「おすすめ」を指定して録画番組を検索した状態の画面表示例である。その結果、ここでは、２個の番組情報７０６、７０８が抽出されて表示される。この画面表示では、新たに指定したふせん情報Ｆ２「おすすめ」（７１４、７１５）が強調されて表示されている。
【００６０】
以後、このような検索を繰り返して、ユーザ所望の録画番組を絞り込むことができる。なお、リモコン１１１のＦ１１キーを押すと、指定したふせん情報がキャンセルされて、どのふせんも選択されていない初期画面に戻る。
【００６１】
図１１Ａ〜図１１Ｃでは、番組一覧表示画面としてサムネイル表示を用いる場合を示したが、番組一覧表示画面としてリスト表示（前記図７Ｂ）を用いる場合にも、同様に検索することができる。
【００６２】
このように、本実施例によれば、複数のふせん情報を録画番組に付加することにより、録画番組の中からユーザが希望する番組を容易に検索することができる。例えば、記録媒体であるＨＤＤの容量が一杯になってきて番組を消去したいような場合、複数個の検索条件として、ふせん情報Ｆ３「１回見た」とふせん情報Ｆ４「削除候補」とを２重に指定することで、消去すべき番組を即座にかつ的確に検索することができる。このように、多様化するユーザの検索条件に対応し、放送番組記録装置の使い勝手が向上する。
【００６３】
また、１つの録画番組に複数のふせん情報を付加した場合にも、ユーザが指定していないふせん情報については、情報の内容を示すふせん番号などの符号のみを小さく表示することにより、背面のサムネイル画や番組情報が隠れる範囲が減り、ユーザは番組情報を確認しやすくなる。さらに、１つの録画番組に貼り付けたふせんの数が多い場合でも、指定したふせん情報についてはその内容を表示することにより、ユーザが見たい番組を選択する際に、番組情報とふせん情報の両方を利用して判断することができるようになり使い勝手が向上する。
【００６４】
図１２を用いて、番組検索時の処理の流れを説明する。
ステップ１２０２で「番組一覧」キーが押されたと判断した場合、ステップ１２０３でレコーダ内部で保持している番組一覧モードを参照する。番組一覧モードがサムネイル表示の場合、ステップ１２０４で番組一覧（サムネイル表示）画面を表示し、番組一覧モードがリスト表示の場合、ステップ１２０５で番組一覧（リスト表示）画面を表示する。
【００６５】
ステップ１２０６で「Ｆ１」〜「Ｆ１０」キーのどれかが押された場合、押されたキーに対応してそれぞれＦ１〜Ｆ１０の番号のふせんを選択する。ステップ１２０７で、番組情報に貼り付いているふせん表示（７１０〜７１９）の内、選択したふせんについてはふせん番号とともにふせん内容も含めて強調表示し、選択しなかったふせんは番号のみを小さく表示するように表示変更する。
【００６６】
ステップ１２０８で「Ｆ１１」（＝ふせん表示切替）キーを押すと、選択したふせんはキャンセルされてどのふせんも選択されていない状態になり、ステップ１２０９に遷移して、全てのふせん表示が番号のみ小さく表示される。
【００６７】
一方、ステップ１２１０で「Ｆ１２」（＝抽出表示）キーを押すと、ステップ１２１１で選択しているふせんが貼り付けてある番組情報を抽出して表示し、他の番組情報は非表示にする。その後、ステップ１２０６へ戻り、ユーザは異なるふせんを選択して検索の絞込みを継続する。
【００６８】
ここで、ステップ１２１２で「戻る」キーが押されると、ステップ１２１３で現在抽出表示中であるかどうかを判断する。抽出表示中であれば、ステップ１２１４で抽出表示を解除してステップ１２０６へ戻り、新たな条件で検索作業を実行する。抽出表示中でなければ、ステップ１２１５へ進み番組一覧表示を終了させて、ステップ１２１６で検索処理を終了する。
【実施例２】
【００６９】
図１３は、本発明の放送番組記録装置におけるふせん表示画面の他の表示例を示す図である。（ａ）はふせん表示の背景色を半透明にした場合の表示例、（ｂ）はふせん表示の背景色を透明にした場合の表示例である。ここでは、選択したふせん情報の情報量が多く、内容を示す文字数が２行にわたるような場合でも、ふせん表示の背面に表示される番組情報を見やすくすることを目的とする。
【００７０】
図１３（ａ）に示すように、ふせん情報の内容が「Ｆ１１：１回見たがもう１回見たら消す候補」という長い文字列でも、ふせん表示１３０１の背景色を半透明にすることにより、ふせん情報の内容が詳細に分かるとともに、ふせん表示の背面に表示される各録画番組毎の番組情報７０８の表示を見やすくすることができる。
【００７１】
また、図１３（ｂ）も同様に、ふせん表示１３０２の背景色を透明にしてふせん情報の内容の文字列のみを表示することにより、ふせん情報の内容が詳細に分かるともに、ふせん表示の背面に表示される各録画番組毎の番組情報７０８の表示を見やすくすることができる。
【００７２】
以上、本発明による放送番組記録装置におけるふせん情報の登録、貼り付け、表示及びこれを用いた番組検索方法の実施例を詳細に説明した。本実施例によれば、複数のふせん情報を基に録画番組を検索することで、多様化するユーザの検索条件に対応し、希望する番組を容易に検索することができ、検索性と使い勝手が向上する。
【００７３】
なお、上記実施例で説明した番組情報、ふせん情報、画面表示等は一例であり、放送番組の内容やユーザの好みに合わせて適宜追加変更できることは言うまでもない。
【図面の簡単な説明】
【００７４】
【図１】本発明の放送番組記録装置の一実施例を示すブロック図。
【図２】フラッシュメモリに格納される番組情報の一例。
【図３】本実施例における全体の処理動作を示すフローチャート。
【図４】画面切替動作を示す画面遷移図。
【図５】ふせん編集画面の表示例。
【図６】ふせん編集時の処理の流れを示すフローチャート。
【図７Ａ】ふせん貼り付け（番組一覧、サムネイル表示）画面の表示例。
【図７Ｂ】ふせん貼り付け（番組一覧、リスト表示）画面の表示例。
【図８】ふせん貼り付け（番組一覧）時の処理の流れを示すフローチャート。
【図９】ふせん貼り付け（一番組）画面の表示例。
【図１０】ふせん貼り付け（一番組）時の処理の流れを示すフローチャート。
【図１１Ａ】番組検索画面の表示例（１）。
【図１１Ｂ】番組検索画面の表示例（２）。
【図１１Ｃ】番組検索画面の表示例（３）。
【図１２】番組検索時の処理の流れを示すフローチャート。
【図１３】本発明の放送番組記録装置におけるふせん表示画面の他の表示例。
【符号の説明】
【００７５】
１０１…放送番組記録装置、１０２…アンテナ、１０３…チューナ、１０４…番組記録再生部、１０５…ＣＰＵ、１０６…フラッシュメモリ、１０７…ＨＤＤ、１０８…リモコン入力部、１０９…映像・文字合成部、１１０…映像出力部、１１１…リモコン、１１２…ディスプレイ、２０１〜２０３…番組情報、２０４〜２１３…ユーザ付加情報（ふせん情報）、２１４〜２１６…番組情報からふせん情報へのリンク、４０１…通常画面、４０２…べんりメニュー、４０３…ふせん編集画面、４０４…ふせん貼り付け画面（番組一覧、サムネイル表示）、４０５…ふせん貼り付け画面（番組一覧、リスト表示）、４０６…番組一覧表示画面（サムネイル表示）、４０７…番組一覧表示画面（リスト表示）、４０８…ふせん貼り付け画面（一番組）、５０１〜５１０…ふせん情報、５１１…ソフトキーボード、５１２…編集エリア、７０１〜７０９，７２１〜７２５…各録画番組毎の番組情報、７１０〜７１９…ふせん表示、７２０…ガイド表示欄、９０１…サムネイル画、９０２…番組情報、９０３〜９１２…ふせん、９１３，１１０１…ガイド表示欄、１３０１，１３０２…ふせん表示。
【図１】
2007324835.tif 000003
【図２】
2007324835.tif 000004
【図３】
2007324835.tif 000005
【図４】
2007324835.tif 000006
【図５】
2007324835.tif 000007
【図６】
2007324835.tif 000008
【図７Ａ】
2007324835.tif 000009
【図７Ｂ】
2007324835.tif 000010
【図８】
2007324835.tif 000011
【図９】
2007324835.tif 000012
【図１０】
2007324835.tif 000013
【図１１Ａ】
2007324835.tif 000014
【図１１Ｂ】
2007324835.tif 000015
【図１１Ｃ】
2007324835.tif 000016
【図１２】
2007324835.tif 000017
【図１３】
2007324835.tif 000018